(57)【特許請求の範囲】
【請求項１】
脚支柱内に下端部が支持されるとともに、支基に上端部が取付けられ、上端面に突出するバルブをレバー操作により下方に押し下げることによって、支基を上下動可能とするガススプリングを備えた座の上下昇降装置であって、前記バルブの上方に、前記レバーと連動し、かつ前記バルブから離間した支点を有する操作杆の先端部を位置させ、さらに前記支基の上方を覆う合成樹脂製の支基カバーを設け、前記操作杆の先端部下面が前記バルブの上面に、ガススプリングが作動しない程度に、常時、当接するように、前記支基カバーの下面を、前記操作杆の上面に、弾性作用によって圧接させたことを特徴とする椅子における座の上下昇降装置。
【請求項２】
前記支基カバーにおける、操作杆に圧接させる部分の周囲に、Ｕ字形のスリットを設けたことを特徴とする請求項１記載の椅子における座の上下昇降装置。
【請求項３】
前記支基カバーと操作杆との間に、弾性部材を介在させ、支基カバーの下面を、操作杆の上面に間接的に圧接させたことを特徴とする請求項１または２記載の椅子における座の上下昇降装置。
【発明の詳細な説明】
【０００１】
【発明の属する技術分野】
本発明は、椅子における座の上下昇降装置に関する。
【０００２】
【従来の技術】
従来の座の高さ調節機能を有する椅子は、支持脚に立設させた脚支柱内に、ガススプリングを設けて、脚支柱を伸縮可能とし、この脚支柱の上端部に、座及び背凭れを支持する支基を固定し、この支基に、ガススプリングの上端面より突出する出没式のバルブを押動する操作杆を設け、この操作杆を座の下方に設けたレバーと連係させている。
【０００３】
【発明が解決しようとする課題】
前記のような従来の座の上下昇降装置は、レバーを操作しないときには、バルブと操作杆との間に、間隙が生じ、そのためレバーを操作して、バルブを作動させる際に、レバー操作の初期段階において、操作杆が前記間隙の寸法だけ動いてバルブに当接するまでは、無負荷状態であり、前記当接によって初めて負荷状態となる。
そのため、レバー操作が２段階となり、円滑に操作することができなかった。
本発明は、かかる現状に鑑み、簡単な構造で、レバー操作が２段階とならず、円滑に操作することができる座の上下昇降装置を提供することを目的とする。
【０００４】
【課題を解決するための手段】
本発明によると、上記課題は、次のようにして解決される。
(１)  脚支柱内に下端部が支持されるとともに、支基に上端部が取付けられ、上端面に突出するバルブをレバー操作により下方に押し下げることによって、支基を上下動可能とするガススプリングを備えた座の上下昇降装置であって、前記バルブの上方に、前記レバーと連動し、かつ前記バルブから離間した支点を有する操作杆の先端部を位置させ、さらに前記支基の上方を覆う合成樹脂製の支基カバーを設け、前記操作杆の先端部下面が前記バルブの上面に、ガススプリングが作動しない程度に、常時、当接するように、前記支基カバーの下面を、前記操作杆の上面に、弾性作用によって圧接させた、椅子における座の上下昇降装置とする。
【０００５】
(２)  上記(１)項において、前記支基カバーにおける、操作杆に圧接させる部分の周囲に、Ｕ字形のスリットを設ける。
【０００６】
(３)  上記(１)または(２)項において、前記支基カバーと操作杆との間に、弾性部材を介在させ、支基カバーの下面を、操作杆の上面に間接的に圧接させる。
【０００７】
【発明の実施の形態】
図１は、本発明の座の上下昇降装置を備えた椅子の側面図、図２は、図１における座の上下昇降装置のII−II線縦断面図、図３は、図２におけるIII−III線縦断面図、図４は、図１における上下昇降装置を、支基カバーを取り外して示した斜視図である。
【０００８】
図示するように、椅子(１)における脚支柱(２)は、支持脚(３)に立設された固定筒(４)と、上端部が支基(５)に固着され、固定筒(４)に対して上下動可能として外嵌された可動筒(６)とを備え、それらの中央部に、ガススプリング(７)が内蔵されている。
【０００９】
ガススプリング(７)は、シリンダ(８)と、その下端から下向に向かって進退するピストンロッド(９)とを備えている。シリンダ(８)の上端面中央には、突出状態において、シリンダ(８)からのピストンロッド(９)の進退を不能とし、下方に押し下げることによって、シリンダ(８)からのピストンロッド(９)の進退を可能とするようにしたバルブ(10)が設けられている。
【００１０】
このバルブ(10)を押し下げた状態にしている間は、図示を省略したガス圧により、ピストンロッド(９)は、常時、シリンダ(８)から進出する方向に付勢されている。ピストンロッド(９)の下端部は、固定筒(４)の下端部に固定され、シリンダ(８)の上端部は、支基(５)の後部中央のテーパ孔(11)に圧嵌されている。
したがって、支基(５)は、バルブ(10)を下方に押し下げることによって、上下動可能となっている。
【００１１】
前記バルブ(10)は、支基(５)に取付けられた操作杆(12)端部のレバー(14)によって作動される。
支基(５)は、箱状の支基本体(15)と、それを上方から覆う支基カバー(16)とよりなる。
【００１２】
操作杆(12)は、平面視においてクランク状をなし、先端部(12a)と後端部(12b)とを、支基(５)の左右方向に、中間部(12c)を前後方向に位置させて、左右方向の軸まわりに回動しうるようにして、中間部(12c)において、取付金具(13)により、支基本体(15)内に枢支されている。
【００１３】
前記操作杆(12)は、先端部(12a)の下面を平面状に面取りして、その面取部(12d)を前記バルブ(10)の頂部(10a)に当接させるとともに、後端部(12b)には、レバー(14)を取付けてある。
【００１４】
このレバー(14)を、図４に示す左右方向の軸まわりの矢印Ｒの向きに回動させるように操作することにより、操作杆(12)は、前記取付金具(13)によって取付けた中間部分(12c)を支点として同じ向きに回動し、先端部(12a)が、バルブ(10)とともに、下方に押し下げられる。
【００１５】
操作杆(12)が固定された支基本体(15)には、上方から合成樹脂製の支基カバー(16)が、図示を省略したボルトで取付けられている。
支基本体(15)は、支基カバー(16)とともに、前上りに傾斜して、脚支柱(２)に取付けられている。
【００１６】
支基カバー(16)のバルブ(10)の上方に位置する部分には、前向きＵ字形のスリット(16a)が設けられ、そのスリット(16a)の内方部分により、バルブ当接片(16b)が形成されている。
このバルブ当接片(16b)は、前上りに傾斜している支基カバー(16)の軸線に対して、傾斜し、ほぼ水平となっており、バルブ当接片(16b)の基部(16c)のヒンジ作用により、上下方向に弾性変形しうるようになっている。
【００１７】
このバルブ当接片(16b)の下面を、前記ヒンジによる弾性作用により、ガススプリング(７)が作動しない程度の力で、前記操作杆(12)の先端部(12a)の上面に圧接させ、前記先端部(12a)の下面をバルブ(10)の頂面に当接させてある。
【００１８】
それによって、バルブ(10)と、操作杆(12)の先端部(12a)間、およびその先端部(12a)とバルブ当接片(16b)間には、いずれも、常時、間隙が生じない。そのため、レバー(14)を操作して、座(17)の高さを調節しようとする際に、レバー(14)の操作が、２段階とならず、円滑に操作することができる。
【００１９】
また、支基カバー(16)に前記Ｕ字形のスリット(16a)を設けることに代えて、あるいはそれと併せて、支基カバー(16)と、操作杆(12)の先端部(12a)との間に、弾性を有する板状体などの弾性部材を介在させて、支基カバー(16)の下面を、操作杆(12)の上面に間接的に圧接させてもよい。
【００２０】
【発明の効果】
本発明によると、次のような効果を奏することができる。
(１)  請求項１記載の発明によれば、前記したように、簡単な構造で、レバー操作が２段階とならず、円滑に座の高さを調節することができる。
そのため、レバー操作を繰りかえしても、疲労感が残らない椅子を、比較的廉価なコストで製造することができる。
【００２１】
(２)  請求項２記載の発明によれば、ガススプリングが作動しない程度の力で、操作杆の先端部の下面を、バルブの頂面に当接させるために必要な弾性作用を有するバルブ当接片を、容易に成形することができる。
【００２２】
(３)  請求項３記載の発明によれば、弾性部材を適宜のものに交換することによって、支基カバーの下面を、操作杆の上面に圧接させるための下向きの弾性力を、ガススプリングが作動しない程度の適宜の大きさに調節することができる。
【図面の簡単な説明】
【図１】本発明の座の上下昇降装置を備えた椅子の側面図である。
【図２】図１における座の上下昇降装置のII−II線縦断面図である。
【図３】図２におけるIII−III線縦断面図である。
【図４】図１における上下昇降装置を、支基カバーを取り外して示した斜視図である。
【符号の説明】
(１)椅子
(２)脚支柱
(３)支持脚
(４)固定筒
(５)支基
(６)可動筒
(７)ガススプリング
(８)シリンダ
(９)ピストンロッド
(10)バルブ
(10a)頂部
(11)テーパ孔
(12)操作杆
(12a)先端部
(12b)後端部
(12c)中間部
(12d)面取部
(13)取付金具
(14)レバー
(15)支基本体
(16)支基カバー
(16a)スリット
(16b)バルブ当接片
(16c)基部
(17)座
【図１】
0004065124.tif 000002
【図２】
0004065124.tif 000003
【図３】
0004065124.tif 000004
【図４】
0004065124.tif 000005